(57)【特許請求の範囲】
【請求項１】
流れ媒体、特に内燃機関の吸込空気の質量を測定する装置であって、長手方向軸線（１０）と、流れ媒体の流れによって取り囲まれた、温度依存性の測定エレメントとが設けられており、該測定エレメントが、装置内で延びる測定通路に配置されており、該測定通路が流入部から流出部に延びており、該流出部に続いて変向通路の、長手方向軸線（１０）の方向に延びる第１の部分が設けられており、該第１の部分内に流出部からの媒体が流れ、この媒体が第１の部分の縁部面から変向通路の、長手方向軸線（１０）の方向に対して横方向に延びる第２の部分内に変向させられるようになっている形式のものにおいて、
変向通路（３１）の第１の部分（３２）の縁部面（４５）が、第１の部分（３２）の、流出部（３６）に対向する壁に対して流出部（３６）が流れ方向（２９）で投影される部分に設けられており、測定通路（３０）内の流れ方向（２９）に向かって傾斜するように形成されており、流れ方向（２９）で変向通路（３１）の第１の部分（３２）に続いて、流出開口（４７）を備えた第２の部分（３３）が設けられており、媒体が、第１の部分の縁部面から変向通路の第２の部分に変向させられるようになっており、第１の部分（３２）または第２の部分（３３）に、少なくとも１つの開口（５５）が設けられており、該開口が、装置（１）を取り囲んで流れる媒体への接続部を形成しており、少なくとも１つの開口（５５）が、装置（１）の、測定通路（３０）を有する測定部（１７）の、流れ方向（２９）に対して平行に延びる側壁（２７）および／または流れ方向（２９）に対して平行に延びる下側の外面（５０）に形成されていることを特徴とする、流れ媒体の質量を測定する装置。
【請求項２】
縁部面（４５）が、長手方向軸線（１０）に対して直角な方向にかつ流れ方向（２９）に対して直角な方向に深さｔｒと、該深さに対して直角に長手方向軸線（１０）の方向に延びる幅ｂｒとを有しており、該幅ｂｒが測定通路（３０）の流入部（３５）の幅ｂにほぼ相当する、請求項１記載の装置。
【請求項３】
縁部面（４５）と測定通路（３０）内の流れ方向（２９）とが成す角度αが３０〜６０°の範囲内にある、請求項１または２記載の装置。
【請求項４】
前記傾斜角度αが約４５°である、請求項３記載の装置。
【請求項５】
縁部面（４５）が、長手方向軸線（１０）の方向に幅ｂｒを有しており、縁部面（４５）の幅ｂｒが測定通路（３０）の幅ｂの少なくとも３分の２である、請求項１記載の装置。
【請求項６】
縁部面（４５）が、長手方向軸線（１０）に対して直角な方向にかつ流れ方向（２９）に対して直角な方向に深さｔｒを有していて、該深さｔｒに対して直角に長手方向軸線（１０）の方向に延びる幅ｂｒを有しており、縁部面（４５）の深さｔｒが流入部（３５）の測定通路（３０）の深さｔにほぼ相当する、請求項１記載の装置。
【請求項７】
測定通路（３０）が方形横断面を有しており、該方形横断面が流入部（３５）から流出部（３６）に向かって縮小されている、請求項１記載の装置。
【請求項８】
変向通路（３１）が方形横断面を有しており、変向通路の第１の部分（３２）が、流過横断面が測定通路（３０）の流出部（３６）の下流側で突然拡大されるように形成されている、請求項１記載の装置。
【発明の詳細な説明】
背景技術
本発明は、請求項１の上位概念に記載された形式の、流れ媒体の質量を測定する装置から出発する。ドイツ連邦共和国特許出願公開第４４０７２０９号明細書に基づき既に公知の装置は、温度依存性の測定エレメントを有しており、この測定エレメントは、測定通路内に収納されている。この測定通路は、装置内で流入部から流出部に延びており、この流出部に続いて、Ｓ字形状を有する変向通路が設けられている。この変向通路は、第１の部分と第２の部分とから構成されている。第１の部分は直角のコーナ部を有しており、縁部面で第２の部分に移行している。流れ媒体は測定通路の流出部から先ず変向通路の第１の部分内に流入する。この第１の部分は、測定通路よりも大きな流過横断面を有しているので、第１の部分への段部の形の突然の流れ移行部が形成されている。次いで、第１の部分の媒体はコーナ部によって変向させられて第１の部分の縁部面に沿って、横方向に続いて設けられた、変向通路の第２の部分内に達し、流出開口からこの第２の部分を出る。これにより、この媒体は、装置を取り囲むように傍らを流過する媒体と再び混合することができる。
内燃機関において、個々のシリンダの吸気弁を開閉することにより、流れの著しい変動もしくは脈動が発生する。その強さは、個々のピストンの吸入周波数もしくは内燃機関の回転数に関連する。流れの脈動は、吸気弁から吸気導管を介して、測定通路内の測定エレメントにまで、さらにその先に伝達される。この脈動の作用により、測定エレメントの熱慣性と無指向性とにより、このような測定エレメントが提供する測定結果は、測定通路の中心部に形成された流れ速度と、その流れ速度から算出し得る、内燃機関の吸込空気質量とから著しくずれるおそれがある。測定通路と変向通路とはその寸法において互いに調和されて、吸込導管内の流れに脈動が生じた場合に、流れ変動に基づき生じた測定エレメントのエラー表示が最小限に抑えられるようになっている。それでもなお、脈動周波数が高く、脈動振幅が大きい場合には、変向通路内の流れ音響学的な過程に基づき、吸込空気質量のエラー表示が生じるおそれがある。このようなエラー表示は特に、流れの脈動時に測定エレメントの下流側で、測定通路の出口と、変向通路の第１の部分のコーナ部との間の段部に圧力波が発生することにより生じる。この圧力波は、変向通路の縁部面でコーナ部に反射させられるので、フィードバック効果により測定エレメントの測定信号が妨害される。
発明の利点
これに対して、請求項１の特徴を有する流れ媒体の質量を測定する装置は、変動または脈動する流れとはほとんど無関係に、不変に正確な測定結果が得られるという利点を有している。このような構成は、変向通路の第１の部分の縁部面と測定通路の流出部との間の距離を変えることなしに実現可能なので、測定通路と変向通路とから成る通路全体の調和に影響を与えることがないため、有利である。これにより装置のコンパクトな構造を維持することができる。
請求項２以下に記載された手段により、請求項１に記載の装置の有利な構成が得られる。
変向通路内に存在する流れを、吸気導管内の外側の流れに接続するための流れ接続部が変向通路に開口の形で設けられていると特に有利である。この開口によって、変向通路内に場合によっては未だに存在する、圧力波の残留妨害因子を完全に排除することができるので、測定結果のさらなる改善がもたらされる。さらに、測定通路内に発生する乱流により生じるおそれのある、装置の測定信号ノイズが著しく減じられる。
図面
次に本発明の実施例を、簡単に示した図面につき以下に詳しく説明する。第１図は、本発明に基づき構成された装置を部分的に断面した側面図である。第２図は、第１図のＩＩ−ＩＩ線に沿って断面した図である。第３図は、本発明により構成された装置の第２実施例を示す断面図である。
実施例の説明
第１図は、符号１で示した装置の側面を部分的に断面して示した図である。この装置は、流れ媒体の質量、特に内燃機関の吸込空気質量を測定するために使用される。この装置１は有利には細長い、半径方向で見て長手方向軸線１０の方向に長めに延びる直方体の形状を有しており、壁５から切り欠かれた、吸気導管７の開口６内に例えば差込可能に導入されている。この装置１は、壁５でシールリング３によってシールされており、例えば、詳細には図示していないねじ結合によって、この壁に固定的に結合さ＋れている。ハッチングで示した壁５は、例えば円筒形に形成された吸気導管７の一部である。この吸気導管を通って、内燃機関が、詳細には図示していないエアフィルタを介して、環境周囲から空気を吸い込むことができる。吸気導管７の壁５は、流過横断面を形成する。この流過横断面は、円筒形の吸気導管７の場合、ほぼ円形の横断面を有している。この横断面の中心には、軸線方向に、壁５に対して平行に中心軸線１１が延びている。この中心軸線は装置１の長手方向軸線１０に対して直角に方向付けられている。装置１は、以下では測定部１７と呼ぶ部分で、流れ媒体内に突入している。測定部１７は、例えば、吸気導管７の中心を超えたところまで延びており、図平面内に位置する、吸気導管の中心軸線１１を通る１平面によって対称的に分けられている。これにより、測定部１７内に収納された温度依存性の測定エレメント２０の傍らを、壁５の縁部の不都合な影響をできる限り受けることなしに流れ媒体が流れることができる。第１図〜第３図に示した実施例においては、媒体が右側から左側に向かって流れる。その流れ方向は矢印２９で示している。
装置１は、測定部１７と、支持部１８と、保持部１９とから一体的に構成されており、例えばプラスチック射出成形技術でプラスチックから製造されている。測定エレメント２０は例えばプレート状に形成されていて、従来技術、例えばドイツ連邦共和国特許出願公開第３６３８１３８号明細書から判るように、１つまたは複数の、温度依存性の測定抵抗２８を有している。この抵抗は抵抗層、いわゆる熱膜抵抗（Heissfilmwiderstaende）の形で、支持体２２として使用されるプレート状のセラミックス基板に被着されている。しかしながら、第１図および第３図に示され、かつ例えばドイツ連邦共和国特許出願公開４３３８８９１号明細書から判るように、いわゆるマイクロメカニカルな構成部分の形の測定エレメント２０を形成することもできる。この場合測定エレメント２０の支持体２２は、エッチング加工によって生じたダイヤフラム状のセンサ領域を有しており、このセンサ領域は、極めて小さな厚さと、やはりエッチング加工によって生じた複数の抵抗層とを有している。これらの抵抗層は、少なくとも１つの温度依存性の測定抵抗２８と、例えば１つの線条抵抗（Heizwiderstand）とを形成している。つまり、測定エレメント２０は、少なくとも１つのプレート状の、例えばセラミックスから成る支持体２２と、少なくとも１つの温度依存性の測定抵抗２８とから形成されている。この支持体２２は、例えば金属から成る収容部２２の切欠き３４内に、この収容部に同一平面上に整合するように収納されていて、例えば接着により保持されている。収容部２３は、流れ２９に向けられた前縁部を有している。この前縁部は斜め面取りされて形成されていると有利である。測定エレメント２０の個々の抵抗層２８は、装置１内部で延びる接続線路２４によって、第１図に破線で示した電子評価回路２５に電気的に接続されている。この電子評価回路は、例えばブリッジ状の抵抗測定回路を有している。この電子評価回路２５は、例えば装置１の支持部１８または保持部１９内に収納されている。電子評価回路２５が例えば支持部１８内に収納されると、例えば吸気導管７内を流れる媒体の冷却体によってこの電子評価回路を冷却することができる。保持部１９に設けられた差込接続部２６によって、電子評価回路２５によって供給された電気的な信号は、評価のための別の電子制御装置に供給することもできる。温度依存性の測定エレメントの機能および構造は、当業者にとっては従来技術から明らかなことなので、それについての詳細な説明は割愛する。
第１図のＩＩ−ＩＩ線に沿って断面した図である第２図に示したように、装置１の測定部１７は直方体状の形状と測定通路３０とを有している。この測定通路３０は、測定通路３０内の中心に延びる測定通路軸線１２に沿って、例えば方形の横断面を有する流入部３５から、例えばやはり方形の横断面を有する流出部３６に延びている。装置１は、吸気導管７内で有利にはその中心軸線１１に対して平行に延びる測定通路軸線１２を有するように組み込まれている。しかしながら第２図において破線で示した測定通路軸線１２′のように、装置１を旋回させた組付位置で組み込んで、測定通路軸線１２′が吸気導管の中心軸線１１と僅かな角度を成すようにすることも可能である。第１図に示したように、測定通路３０は、Ｓ字形状を有する変向通路３１に移行する。測定通路３０は、吸気導管の中心軸線１１から隔たった側の上面３７と、中心軸線１１に近い側の下面３８と、第２図に示された２つの側面３９，４０とによって仕切られている。第１図に示した実施例においては、測定通路３０の測定通路軸線１２が例えば吸気導管の中心軸線１１に対して偏心的に配置されている。しかし、本発明による装置１の第２の実施例として第３図に示したように、測定通路３０の測定通路軸線１２を吸気導管７の中心軸線１１に対して同軸的に、またはこの中心軸線１１の領域内に配置することも可能である。プレート状の測定エレメント２０のための収容部２３は、一方の側で支持部１８の上面３７に保持されているので、測定エレメント２０を備えた収容部２３の、測定通路軸線１２に対してほぼ平行に延びる両側面２１は媒体の流れによって取り囲まれる。
第２図に示したように、測定通路３０の側面３９，４０は、装置の測定通路軸線１２と長手方向軸線１０とによって形成された１平面に対して斜めに延びており、この平面と鋭角を成しているので、測定通路３０は流れ方向２９で見て軸線方向に狭められている。これにより、測定通路３０は最小横断面で流出部３６において、変向通路３１の第１の部分３２内に開口する。測定エレメント２０は収容部２３内で、測定通路３０の最も狭い個所の上流側、つまり測定通路３０の流出部３６の上流側に配置されている。流れ方向２９に測定通路３０が狭められていることにより、測定エレメント２０の領域において、できる限り妨害を受けない、一様な平行流を形成することができる。測定通路３０の流入部３５の領域における流れの剥離を回避するために、測定通路３０の流入領域は、第１図に示した丸く面取りされた縁曲げ面４２を有している。
本発明によれば、変向通路３１の、流出部３６に対向する壁に対して流出部３６が流れ方向２９で投影される部分に配置された、変向通路３１の第１の部分３２の縁部面４５が、流れ２９に向かって直角ではなく、傾斜して形成されている。この場合、測定通路軸線１２と縁部面４５とが成す傾斜角αは約４５°であると有利である。しかしながら、約３０°〜６０°の範囲内の傾斜角αで縁部面４５を形成することも可能である。第１図に示したように、縁部面４５の下流側には、第１の部分３２に続いて、この第１の部分に対して横方向にもしくは装置の長手方向軸線１０の方向に対して横方向に、変向通路３１の第２の部分３３が設けられている。傾斜した縁部面４５は、測定通路３０の流出部３６から第１の部分３２内に流入する媒体を縁部面４５に沿って第２の部分３３内に変向させて導入するために設けられている。この縁部面４５は第１図においてはほぼ断面線ＩＩ−ＩＩ線にまで、もしくは吸気導管の中心軸線１１にまで延びている。縁部面４５は装置の長手方向軸線１０の方向に幅ｂｒを有している。この幅は装置の長手方向軸線１０の方向における測定通路３０の幅ｂよりも僅かに小さい。しかしながら、縁部面４５の幅ｂｒを測定通路３０の幅ｂに相当するように形成することも可能である。しかし縁部面４５の幅ｂｒは、測定通路３０の幅ｂの少なくとも２／３であることが望ましい。第２図に示したように、縁部面４５はこの幅ｂｒに対して直角に深さｔｒを有している。この深さｔｒは、流入部３５における測定通路３０の幅ｂに対して直角な測定通路３０の深さｔにほぼ相当すると有利である。しかしながら、縁部面４５の深さｔｒを、測定通路３０の流入部３５の深さｔよりも僅かに小さく形成することもできる。この縁部面４５に続いて、変向通路の第１の部分３２の壁が、ほぼ装置の長手方向軸線１０の方向に延びている。
第１の部分３２と第２の部分３３とから構成された変向通路３１は、方形横断面を有していると有利である。この方形横断面は、測定通路３０の流入部３５の横断面にほぼ相当する。この場合、測定通路３０と変向通路３１との間の流出部３６で、流過横断面が段部４３で突然拡大される。測定通路３０内を流れる媒体は、流出部３６の下流側で先ず第１の部分３２内に達し、縁部面４５で変向させられ、この縁部面から第２の部分３３内にさらに流入する。第１図および第３図に矢印４６で示したように、媒体はその後、流出開口４７を介して第２の部分３３を去り、流れ方向２９に対してほぼ横方向に再び吸気導管７内に流入する。流出開口４７は変向通路３１のように例えば方形横断面を有しており、測定通路軸線１２に対して平行に方向付けられた、測定部１７の下側の外面５０に設けられている。第１図および第３図に示したように、方形の流出開口４７の右側には、下側の外面５０に対して横方向に、流れ２９と相対する、測定部１７の縁曲げ面４２が続いて設けられている。この縁曲げ面４２は測定通路３０の流入部３５の上流側で、丸く面取りされた形で、下側の外面５０から測定通路３０の下面３８に、流入部３５にまで延びている。
変向通路３１に設けられた縁部面４５が傾斜して形成されていることにより、例えば渦流の形または圧力波の形で発生するおそれがある、測定通路３０の流出部３６から出た流れの妨害因子が縁部面４５に反射させられる。この場合、渦流もしくは圧力波の発生場所に応じて、装置の長手方向軸線１０の方向に延びる、段部４３もしくは流出部３６の幅にわたって、縁部面４５に対する異なる距離が生ぜしめられるので、この幅に沿って発生する個々の渦流もしくは圧力波は時間的にずらされて縁部面４５に反射させられる。その結果、これらの渦流もしくは圧力波はさらにその方向を変向させられ、これらの渦流もしくは圧力波の、測定エレメント２０に対する妨害作用は全体的に弱められる。縁部面４５における妨害因子の、時間および場所に関連したこのような反射により、測定エレメント２０から発せられた電気的な信号への影響を排除することができる。これにより、流れが脈動すると、発生する測定エレメント２０のエラー表示を著しく減じることができるか、またはそればかりか回避することもできる。
第３図に示した本発明による第２の実施例においては、第１図および第２図に示したものと同じまたは同様に作用する全ての部分は同一の符号を有している。この第３図においては、縁部面４５の下流側に、変向通路３１の開口５５が示されている。この開口は例えば孔の形で、変向通路３１内の流れを吸気導管７内の外側の流れに接続する。この開口５５は、例えば円形の孔として形成されている。この孔は、測定部１７の側壁２７のうちの一方から、変向通路３１の第１の部分３２から第２の部分３３への交差領域つまり重なり領域内に延びている。しかしながら、第３図に破線で示したように、この開口５５を、測定部１７の下側の外面５０を起点にして第２の部分３３に向かって延びるように設けることもできる。この開口５５は比較的小さな横断面を有しており、数ミリメートル、例えば２ｍｍの開放横断面を有している。勿論、複数の開口５５が設けられていてもよい。この少なくとも１つの開口５５によって、測定通路３０の流出部３６の下流側に出た圧力波のための、変向通路３１により形成された共振室が影響を受けて、圧力補償によって、縁部面４５に反射させられた圧力波が弱められる。この少なくとも１つの開口５５の横断面の大きさにより、共振室の固有周波数は、流出部３６の下流側に出た圧力波の周波数に調和されて、測定エレメント２０から出された測定結果がさらに改善される。
さらに、少なくとも１つの開口５５によって、変向通路３１内の流れを吸気導管７内の流れに対して圧力補償することにより、変向通路３１内にまだ事情によっては弱められて存在する圧力波を吸気導管７内に逃がすことができる。しかもこの場合、測定エレメント２０から出された測定結果に不都合な影響を与えることはない。
【図１】
0003877777.tif 000002
【図２】
0003877777.tif 000003
【図３】
0003877777.tif 000004